(57)【特許請求の範囲】
【請求項１】
貯蔵室を開閉する扉と、前記扉の前面に配されるとともに所定の設定操作を行う複数の操作スイッチを有する操作パネルとを備えた冷蔵庫において、前記操作パネルが前記操作スイッチに面して配される導光板と、前記導光板の端面から成る入射面に面して配される第１光源と、前記導光板の背面側に配される複数の表示アイコンと、各前記表示アイコンの背面側にそれぞれ配されて発光により各前記表示アイコンを点灯表示させる複数の第２光源とを有するとともに、各前記表示アイコンに対応する図柄を形成する凹凸部を前記表示アイコンに面して前記導光板上に設け、第１光源の発光によって前記凹凸部の図柄が浮き上がって表示されることを特徴とする冷蔵庫。
【請求項２】
前記扉の前面を覆うガラス板を備え、前記操作スイッチが前記ガラス板と前記導光板との間に配されて静電容量の変化を検出するタッチパネルにより形成されることを特徴とする請求項１に記載の冷蔵庫。
【請求項３】
前記タッチパネル上に使用者の手指を配した際に第１光源を点灯することを特徴とする請求項２に記載の冷蔵庫。
【請求項４】
人体の接近を検知する人体センサを設け、人体が接近した際に第１光源を点灯することを特徴とする請求項１または請求項２に記載の冷蔵庫。
【請求項５】
前記導光板が各前記凹凸部に対応して傾斜角度の異なる傾斜面を有した複数の反射部を上下面または左右面に設けられ、前記導光板を導光して前記反射部で反射した光が対応する各前記凹凸部に導かれることを特徴とする請求項１〜請求項４のいずれかに記載の冷蔵庫。
【請求項６】
前記導光板が両端部で後方に屈曲した屈曲部を有して前記入射面を前記屈曲部の後端面により形成し、前記屈曲部の外面を光の拡散面にしたことを特徴とする請求項１〜請求項５のいずれかに記載の冷蔵庫。
【発明の詳細な説明】
【技術分野】
【０００１】
本発明は、扉の前面に操作パネルを備えた冷蔵庫に関する。
【背景技術】
【０００２】
従来の冷蔵庫は特許文献１に開示されている。この冷蔵庫は貯蔵室を開閉する扉の前面がガラス板により覆われ、ガラス板の背面に操作部及び表示部を有する操作パネルが取り付けられる。操作部はガラス板の背面に印刷した文字部の背面側にタッチパネルを配した複数の操作スイッチを有している。表示部は樹脂フィルム上に印刷した文字部の背面側にＬＥＤを配置した複数の表示アイコンを有している。
【０００３】
操作スイッチの操作によって各表示アイコンに対応する設定項目が設定される。操作スイッチによる設定操作時及び設定完了時に設定項目に対応した表示アイコンが操作に応じて点灯し、設定状態を使用者によって判別することができる。
【先行技術文献】
【特許文献】
【０００４】
【特許文献１】特開２０１１−３８７１２号公報（第５頁〜第１５頁、第２図）
【発明の概要】
【発明が解決しようとする課題】
【０００５】
しかしながら、上記従来の冷蔵庫によると、室内が暗い場合に使用者が各操作スイッチを視認することが困難であるため、冷蔵庫の利便性が悪い問題があった。この問題を解決するために、表示部の各表示アイコンと同様に各操作スイッチに対応する光源を設けて各操作スイッチを点灯表示することができる。しかし、複数の操作スイッチに対応するために光源を多く必要とするため、冷蔵庫のコストが大きくなる問題がある。
【０００６】
本発明は、コストを抑制して利便性を向上できる冷蔵庫を提供することを目的とする。
【課題を解決するための手段】
【０００７】
上記目的を達成するために本発明は、貯蔵室を開閉する扉と、前記扉の前面に配されるとともに所定の設定操作を行う複数の操作スイッチを有する操作パネルとを備えた冷蔵庫において、前記操作パネルが前記操作スイッチに面して配される導光板と、前記導光板の端面から成る入射面に面して配される第１光源とを有することを特徴としている。
【０００８】
この構成によると、第１光源の出射光が入射面から導光板に入射して導光する。導光板の前面や背面に臨界角よりも小さい入射角で到達した光は導光板から出射され、操作スイッチの周囲が照明される。操作スイッチの操作によって冷蔵庫の各設定項目が設定される。
【０００９】
また本発明は、上記構成の冷蔵庫において、前記扉の前面を覆うガラス板を備え、前記操作スイッチが前記ガラス板と前記導光板との間に配されて静電容量の変化を検出するタッチパネルにより形成されることを特徴としている。この構成によると、ガラス板上の所望の操作スイッチが配される位置に手指を接近または接触させるとタッチパネルにより形成される操作スイッチが静電容量の変化を検出して操作される。
【００１０】
また本発明は、上記構成の冷蔵庫において、前記タッチパネル上に使用者の手指を配した際に第１光源を点灯することを特徴としている。この構成によると、タッチパネル上に手指を配すると第１光源が点灯して各操作スイッチの周囲が照明される。これにより、所望の操作スイッチが操作される。タッチパネルを各操作スイッチの外側に延出して操作パネル上の広い範囲に設けてもよい。
【００１１】
また本発明は、上記構成の冷蔵庫において、前記扉を開閉した際に第１光源を点灯することを特徴としている。この構成によると、扉を開閉すると第１光源が点灯して各操作スイッチの周囲が照明される。これにより、所望の操作スイッチが操作される。
【００１２】
また本発明は、上記構成の冷蔵庫において、人体の接近を検知する人体センサを設け、人体が接近した際に第１光源を点灯することを特徴としている。この構成によると、人体センサにより使用者の接近を検知すると、第１光源が点灯して各操作スイッチの周囲が照明される。これにより、所望の操作スイッチが操作される。
【００１３】
また本発明は、上記構成の冷蔵庫において、前記操作パネルが、第２光源を有して前記操作スイッチによる設定状態を点灯表示する複数の表示アイコンを備え、各前記表示アイコンに対応する図柄を形成する凹凸部を前記表示アイコンに面して前記導光板上に設けたことを特徴としている。
【００１４】
この構成によると、第２光源の消灯時に第１光源が点灯されると導光板の導光の一部が凹凸部に到達し、凹凸部で反射または屈折した光が導光板の前面または背面から出射される。これにより、各表示アイコンに重なる図柄が導光板上に浮き上がって視認される。凹凸部により表示アイコンと同様の図柄を形成してもよく、表示アイコンの周囲を囲む図柄を形成してもよい。
【００１５】
また本発明は、上記構成の冷蔵庫において、前記導光板が両端部で後方に屈曲した屈曲部を有して前記入射面を前記屈曲部の後端面により形成し、第１光源及び第２光源が同一基板上に実装したチップ型ＬＥＤにより形成されることを特徴としている。この構成によると、第１光源の出射光は屈曲部の後端面の入射面から導光板に入射する。導光板に入射した光は屈曲部を前方に導光した後、操作パネルに沿って導光する。チップ型ＬＥＤの第１光源及び第２光源はフロー半田等によって基板上に同時に実装される。
【発明の効果】
【００１６】
本発明によると、扉前面に配される操作パネルが操作スイッチに面して配される導光板と導光板の入射面に面した第１光源とを有するので、導光板の出射光によって操作スイッチの周囲が照明される。これにより、室内が暗い場合に使用者が各操作スイッチを容易に判別することができる。また、複数の操作スイッチが配された範囲を数量の少ない第１光源によって照明することができる。従って、冷蔵庫のコストを抑制して利便性を向上することができる。
【図面の簡単な説明】
【００１７】
【図１】本発明の第１実施形態の冷蔵庫を示す正面図
【図２】本発明の第１実施形態の冷蔵庫を示す側面断面図
【図３】本発明の第１実施形態の冷蔵庫を示す上面断面図
【図４】本発明の第１実施形態の冷蔵庫の収納室を示す正面図
【図５】本発明の第１実施形態の冷蔵庫の収納室を示す上面断面図
【図６】図５の要部詳細図
【図７】本発明の第２実施形態の冷蔵庫の収納室を示す正面図
【図８】本発明の第２実施形態の冷蔵庫の収納室を示す上面断面図
【図９】図８の要部詳細図
【図１０】本発明の第３実施形態の冷蔵庫の導光板を示す正面図
【図１１】本発明の第３実施形態の冷蔵庫の導光板の要部を示す上面図
【発明を実施するための形態】
【００１８】
以下に本発明の実施形態を図面を参照して説明する。図１、図２、図３は第１実施形態の冷蔵庫を示す正面図、側面断面図及び上面断面図である。冷蔵庫１は本体部を形成する断熱箱体２の上部に冷蔵室３が配され、下部に冷凍室４が配される。冷蔵室３の前面は断熱箱体２の左右端でそれぞれ枢支される観音開きの扉５、６によって開閉される。冷凍室４の前面は断熱箱体２の左右端でそれぞれ枢支される観音開きの扉７、８によって開閉される。扉５〜８の前面はガラス板１１で覆われ、容易に清掃できるとともに冷蔵庫１の美観を向上することができる。
【００１９】
冷蔵室３の左側の扉５と冷凍室４の左側の扉７とは同様の断面形状に形成され、冷蔵室３の右側の扉６と冷凍室４の右側の扉８とは同様の断面形状に形成される。また、扉５には収納室３０が設けられ、収納室３０内には詳細を後述するように前面から操作できる操作パネル４０が配される。
【００２０】
右方の扉６、８は左端面に凹部２３が形成され、凹部２３の前方にハンドル２１が形成される。左方の扉５、７は右端面に凹部２４が形成され、凹部２４の前方にハンドル２２が形成される。この時、凹部２４の背壁はハンドル２２の先端よりも右方に延びて形成される。これにより、ハンドル２２の右側方から差し入れた手指がハンドル２２の背面に掛けられ、扉５、７を開くことができる。また、扉５、７のハンドル２２の右側方から差し入れた手指を扉６、８のハンドル２１の背面に掛けて扉６、８を開くことができる。
【００２１】
図４、図５は収納室３０の正面図及び上面断面図を示している。また、図６は図５の要部詳細図を示している。収納室３０は扉５の前面に凹設され、ガラス板１１により前面を覆われる。収納室３０は右側端面に開口部３０ａを開口し、ハンドル２２がネジ止めされる側面カバー３６により開口部３０ａが塞がれる。開口部３０ａを介して操作パネル４０が収納室３０内に挿入される。
【００２２】
収納室３０にはリード線が接続されたコネクタ（不図示）が配される。コネクタには操作パネル４０の挿入によって回路基板４８に設けた端子部（不図示）が接続される。リード線は本体部（不図示）内に設けられる電装部（不図示）から導出され、扉５の枢支軸を形成するシャフト（不図示）に挿通して扉５内に引き出される。
【００２３】
操作パネル４０は背面側から順に回路基板４８、スペーサ４９、導光板５０を配置して形成され、表示部４１及び操作スイッチ４５を備えている。詳細を後述するように、表示部４１は表示パネル４２及び複数の表示アイコン４３を有し、操作スイッチ４５はタッチパネル４６により形成された複数の操作キーを有している。
【００２４】
回路基板４８は光源５１（第１光源）、光源４４（第２光源）及び表示パネル４２を実装するとともにこれらの駆動回路を実装する。光源５１及び光源４４は所謂砲弾型ＬＥＤから成り、リフロー半田によって回路基板４８に実装される。光源４４を三色ＬＥＤ等の多色ＬＥＤにより構成し、操作スイッチ４５の操作や冷蔵庫１の運転状態に応じて光源４４の発光色を可変してもよい。表示パネル４２は液晶パネル等により形成され、設定温度や、各運転モード設定のオンオフ状態を「ＯＮ」、「ＯＦＦ」等により表示する。
【００２５】
スペーサ４９は回路基板４８と導光板５０とを所定の間隔に維持し、光源４４が収納される開口部４９ａを有している。導光板５０は平面視矩形のアクリル等の透明樹脂により形成され、両側端面の入射面５０ａに対向して光源５１が配置される。光源５１の出射光は入射面５０ａから導光板５０に入射して導光する。
【００２６】
尚、導光板５０とタッチパネル４６とは略等しい屈折率に形成され、少なくとも前面に露出する領域内で密着して配置される。これにより、光源４４の点灯時に導光板５０との屈折率差によってタッチパネル４６が目立つことを防止し、操作パネル４０の美観を向上することができる。
【００２７】
導光板５０の背面には調光シート４７が配される。調光シート４７により回路基板４８が遮蔽され、開口部４９ａを介した回路基板４８の視認が防止される。また、調光シート４７には表示アイコン４３及び操作スイッチ４５の表示面を形成する記号や文字等の図柄が印刷される。
【００２８】
表示アイコン４３には冷蔵室アイコン４３ａ、冷凍室アイコン４３ｂ、エコモードアイコン４３ｃ、イオン発生モードアイコン４３ｄ、製氷アイコン４３ｅ、急速冷凍モードアイコン４３ｆ、チャイルドロックアイコン４３ｇ、ナイトモードアイコン４３ｈ、バケーションモードアイコン４３ｉ、警告アイコン４３ｊが設けられる。各表示アイコン４３は調光シート４７の背後にそれぞれ対応して設けられた光源４４の発光によって点灯する。
【００２９】
冷蔵室アイコン４３ａは冷蔵室３の温度設定時に点灯するとともに冷蔵室３の異常温度時に点灯して報知する。冷凍室アイコン４３ｂは冷凍室４の温度設定時に点灯するとともに冷凍室４の異常温度時に点灯して報知する。
【００３０】
エコモードアイコン４３ｃは省電力運転を行うエコモードの設定時に点灯するとともに、オン設定された場合に点灯して設定状態を報知する。イオン発生モードアイコン４３ｄは冷蔵室３に配したイオン発生装置（不図示）を駆動するイオン発生モードの設定時に点灯するとともに、オン設定された場合に点灯して設定状態を報知する。イオン発生装置の駆動によって冷蔵室３内にイオンを送出し、冷蔵室３内の除菌及び消臭を行うことができる。
【００３１】
製氷アイコン４３ｅは製氷時の氷のサイズ等の設定時に点灯するとともに、設定後に設定状態を点灯して報知する。急速冷凍モードアイコン４３ｆは通常時よりも冷凍室４を急速で冷却する急速冷凍モードの設定時に点灯するとともに、オン設定された場合に点灯して設定状態を報知する。
【００３２】
チャイルドロックアイコン４３ｇは操作スイッチ４５による入力を禁止するチャイルドロックの設定時に点灯するとともに、オン設定された場合に点灯して設定状態を報知する。ナイトモードアイコン４３ｈは夜間に省電力運転を行うナイトモードの設定時に点灯するとともに、オン設定された場合に点灯して設定状態を報知する。
【００３３】
バケーションモードアイコン４３ｈはバケーションモードの設定時に点灯するとともに、オン設定された場合に点灯して設定状態を報知する。バケーションモードでは冷蔵室３に送られる冷気を遮断して冷凍室４のみの冷却が行われる。警告アイコン４３ｊは貯蔵室の異常高温時や停電発生後の電源復帰時等に点灯し、使用者に警告を報知する。
【００３４】
操作スイッチ４５は導光板５０の前面に配して静電容量の変化を検知するタッチパネル４６により形成される。操作スイッチ４５はセレクトキー４５ａ、設定キー４５ｂ、４５ｃ、決定キー４５ｄを有している。ガラス板１１を介して各操作スイッチ４５を配した位置に手指を接近または接触させるとタッチパネル４６の検知によって各操作スイッチ４５が操作される。タッチパネル４６を導光板５０の背面に配置してもよいが、導光板５０とガラス板１１との間に配置することによって正確に手指による静電容量の変化を検知することができる。
【００３５】
セレクトキー４５ａが押下されると、各表示アイコン４３が順に点灯して各表示アイコン４３に対応する設定温度や運転モードの設定待機状態となる。設定待機状態は操作スイッチ４５の操作が所定時間行われない場合に解除される。
【００３６】
設定キー４５ｂ、４５ｃは設定温度や運転モードを設定する。例えば、設定キー４５ｂの押下によって設定温度が増加され、運転モードがオン設定される。設定キー４５ｃの押下によって設定温度が減少され、運転モードがオフ設定される。また、設定キー４５ｂ、４５ｃによる設定状態が決定キー４５ｄの操作によって記憶される。
【００３７】
導光板５０の背面には各表示アイコン４３及び各操作スイッチ４５に対応する図柄を形成した凹凸部５０ｂが形成される。凹凸部５０ｂは導光板５０の背面に凹設した線状や点状の溝により表示アイコン４３や操作スイッチ４５と同様の図柄を形成する。凹凸部５０ｂによって表示アイコン４３や操作スイッチ４５の周囲を囲む図柄を形成してもよい。また、導光板５０の背面に突設した線状や点状の突起により凹凸部５０ｂを形成してもよく、導光板５０の前面に凹凸部５０ｂを形成してもよい。
【００３８】
上記構成の冷蔵庫１において、光源４４及び光源５１は省電力化のために操作スイッチ４５の操作や扉５の開閉が所定時間行われていない場合に消灯する。タッチパネル４６上に手指が配されると、光源５１が点灯するとともに設定状態に応じて表示アイコン４３が光源４４の発光により点灯する。この時、室内が暗い場合でもタッチパネル４６上に手指を容易に配置できるように、タッチパネル４６を表示アイコン４３上まで延設して面積を拡大するとより望ましい。
【００３９】
光源５１が点灯されると光源５１の出射光が入射面５０ａから導光板５０に入射する。入射面５０ａから入射した光は導光板５０を導光し、導光板５０の前面または背面に臨界角よりも小さい入射角で到達した光が出射される。これにより、操作スイッチ４５を覆う導光板５０から出射される光によって操作スイッチ４５の周囲が照明される。このため、室内が暗い場合に使用者が各操作スイッチ４５を容易に判別して所望の操作スイッチ４５を操作することができる。
【００４０】
また、導光板５０の導光の一部は凹凸部５０ｂで反射または屈折して出射され、凹凸部５０ｂの図柄が浮き上がって表示される。このため、操作スイッチ４５の判別をより容易にできるとともに、消灯状態の表示アイコン４３を判別することができる。
【００４１】
操作スイッチ４５によって設定操作が開始されると設定状態が表示アイコン４３や表示パネル４２により表示される。また、操作スイッチ４５による設定が完了すると設定状態が表示アイコン４３や表示パネル４２により表示される。直前の操作スイッチ４５の操作や直前の扉５の開閉から所定時間が経過すると、光源５１及び光源４４が消灯される。
【００４２】
尚、光源５１や設定に応じた光源４４を常時点灯してもよい。また、扉５を開閉した際に光源４４、５１を点灯してもよい。また、人体の接近を検知する人体センサを設け、人体が接近した際に光源４４、５１を点灯してもよい。
【００４３】
本実施形態によると、扉５の前面に配される操作パネル４０が操作スイッチ４５に面して配される導光板５０と導光板５０の入射面５０ａに面した光源５１（第１光源）とを有するので、導光板５０の出射光によって操作スイッチ４５の周囲が照明される。これにより、室内が暗い場合に使用者が各操作スイッチ４５を容易に判別することができる。また、複数の操作スイッチ４５が配された範囲を数量の少ない光源５１によって照明することができる。従って、冷蔵庫１のコストを抑制して利便性を向上することができる。
【００４４】
また、操作スイッチ４５がガラス板１１と導光板５０との間に配した静電容量型のタッチパネル４６により形成されるので、手指による静電容量の変化を正確に検知することができる。
【００４５】
また、タッチパネル４６上に手指を配した際に光源５１を点灯するので、使用者が不在の時に光源５１を消灯して省電力化を図ることができる。
【００４６】
また、扉５を開閉した際に光源５１を点灯するように構成すると、使用者が不在の時に光源５１を消灯して省電力化を図ることができる。
【００４７】
また、人体センサの検知により人体が接近した際に光源５１を点灯するように構成すると、使用者が不在の時に光源５１を消灯して省電力化を図ることができる。加えて、光源５１を点灯させる操作が不要になるため、冷蔵庫１の利便性をより向上することができる。
【００４８】
また、設定状態を点灯表示する複数の表示アイコン４３に対応する図柄を形成する凹凸部５０ｂを導光板５０上に設けたので、光源５１の点灯によって消灯状態の表示アイコン４３を容易に判別することができる。従って、冷蔵庫１の利便性をより向上することができる。
【００４９】
本実施形態において、光源５１に対向する入射面５０ａを導光板５０の両側端面にしているが、一方の側端面を入射面５０ａにしてもよく、導光板５０の上面や下面を入射面５０ａにしてもよい。
【００５０】
次に、図７、図８は第２実施形態の冷蔵庫１の収納室３０の正面図及び上面断面図を示している。また、図９は図８の要部詳細図を示している。説明の便宜上、前述の図１〜図６に示す第１実施形態と同様の部分には同一の符号を付している。本実施形態は第１実施形態に対して導光板５０の形状及び光源４４、５１の構造が異なり、表示アイコン４３の配置が異なっている。その他の部分は第１実施形態と同様である。
【００５１】
導光板５０の左右の端部には後方に屈曲した屈曲部５０ｃが設けられる。屈曲部５０の後端面により入射面５０ａが形成され、入射面５０ａに対向して光源５１が配置される。これにより、光源５１を前後方向で光源４４と同じ位置に配置することができる。このため、光源４４、５１を所謂チップ型ＬＥＤにより構成してフロー半田によって回路基板４８上に同時に実装することができる。従って、工数を増加させずに操作パネル４０の薄型化を図ることができる。尚、操作パネル４０が厚くなるが、光源４４、５１を砲弾型ＬＥＤにより構成してもよい。
【００５２】
導光板５０の屈曲部５０ｃの外面５０ｅは前に凸の曲面により形成される。これにより、屈曲部５０ｃの前面に到達した光の入射角が大きくなり、屈曲部５０ｃの前面から出射される光を低減して扉５の前面に沿って導光させることができる。
【００５３】
また、導光板５０の屈曲部５０ｃの内面５０ｄと入射面５０ａとが成す狭い方の角度θが６０゜以上に形成される。角度θが小さいと内面５０ｄに到達して全反射する光が多くなる。内面５０ｄで反射した光は導光板５０の前面に臨界角よりも小さい入射角で入射して出射される。このため、角度θを大きくすると、内面５０ｄに到達した光が屈曲部５０ｃから出射した後、導光板５０に再入射して導光される。従って、屈曲部５０ｃの近傍から出射される光を低減して扉５の前面に沿って導光する光をより増やすことができる。
【００５４】
本実施形態によると、第１実施形態と同様に、扉５の前面に配される操作パネル４０が操作スイッチ４５に面して配される導光板５０と導光板５０の入射面５０ａに面した光源５１（第１光源）とを有するので、導光板５０の出射光によって操作スイッチ４５の周囲が照明される。これにより、室内が暗い場合に使用者が各操作スイッチ４５を容易に判別することができる。また、複数の操作スイッチ４５が配された範囲を数量の少ない光源５１によって照明することができる。従って、冷蔵庫１のコストを抑制して利便性を向上することができる。
【００５５】
また、導光板５０の両端部で後方に屈曲した屈曲部５０ｃの後端面により入射面５０ａを形成して光源５１、４４が同一の回路基板４８上に実装されるチップ型ＬＥＤにより形成される。これにより、光源５１、４４を同時に回路基板４８に実装して工数の増加を防止するとともに、操作パネル４０の薄型化を図ることができる。
【００５６】
本実施形態においても上記と同様に、光源５１や設定に応じた光源４４を常時点灯してもよい。また、扉５を開閉した際に光源４４、５１を点灯してもよい。また、人体の接近を検知する人体センサを設け、人体が接近した際に光源４４、５１を点灯してもよい。
【００５７】
また、光源５１に対向する入射面５０ａを導光板５０の両側端部に配置しているが、一方の側端部に配置してもよく、導光板５０の上端部や下端部に配置してもよい。
【００５８】
次に、図１０は第３実施形態の冷蔵庫１の導光板５０を示す正面図であり、図１１は導光板５０の要部を示す上面図である。説明の便宜上、前述の図７〜図９に示す第２実施形態と同様の部分には同一の符号を付している。本実施形態は第２実施形態に対して導光板５０の形状が異なっている。その他の部分は第２実施形態と同様である。
【００５９】
導光板５０は左右の両端部の屈曲部５０ｃの外面５０ｅには左右方向に延びるローレットにより粗面化処理を施した粗面部５０ｆが形成される。粗面部５０ｆによって外面５０ｅから出射される光が拡散される。このため、入射面５０ａを挟んで外面５０ｅに対向する光源５１（図９参照）が目立つことを防止し、操作パネル４０の美観を向上することができる。尚、粗面部５０ｆを縦方向のローレットにより形成してもよく、サンドブラスト等の他の粗面化処理により形成してよい。
【００６０】
また、導光板５０は左右の両端部に入射面５０ａが設けられ、左右方向が入射面５０ａから入射した光が主として導光する導光方向になっている。導光板５０の導光方向に沿った上下面には複数の山型の反射部５０ｇが形成される。各反射部５０ｇは各凹凸部５０ｂに対応して傾斜角度の異なる傾斜面を有している。
【００６１】
矢印Ａ１、Ａ２、Ａ３に示すように導光板５０を導光して反射部５０ｇで反射した光は各表示アイコン４３に対応した凹凸部５０ｂに導かれる。これにより、凹凸部５０ｂの図柄をより明瞭に表示することができ、操作スイッチ４５や消灯状態の表示アイコン４３（図７参照）を容易に判別することができる。
【００６２】
本実施形態によると、第２実施形態と同様の効果を得ることができる。加えて、屈曲部５０ｃの外面５０ｅに粗面部５０ｆを設けたので、光源５１が目立つことを防止し、操作パネル４０の美観を向上することができる。また、導光板５０の導光方向に沿う上下面に配した反射部５０ｇが凹凸部５０ｂに向けて導光を反射させるので、凹凸部５０ｂの図柄をより明瞭に表示することができる。
【００６３】
本実施形態においても上記と同様に、光源５１（図９参照）や設定に応じた光源４４（図９参照）を常時点灯してもよい。また、扉５を開閉した際に光源４４、５１を点灯してもよい。また、人体の接近を検知する人体センサを設け、人体が接近した際に光源４４、５１を点灯してもよい。
【００６４】
また、光源５１に対向する入射面５０ａを導光板５０の両側端部に配置しているが、一方の側端部に配置してもよく、導光板５０の上端部や下端部に配置してもよい。入射面５０ａを導光板５０の上端部や下端部に配置した場合は、上下方向が導光方向となる。
【産業上の利用可能性】
【００６５】
本発明によると、扉の前面に操作パネルを備えた冷蔵庫に利用することができる。
【符号の説明】
【００６６】
１    冷蔵庫
３    冷蔵室
４    冷凍室
５、６、７、８  扉
１１    ガラス板
２１、２２  ハンドル
３０    収納室
４０    操作パネル
４１    表示部
４２    表示パネル
４３    表示アイコン
４４    光源（第２光源）
４５    操作スイッチ
４６    タッチパネル
４７    調光シート
４８    回路基板
４９    スペーサ
５０    導光板
５０ａ  入射面
５０ｂ  凹凸部
５０ｃ  屈曲部
５０ｆ  粗面部
５０ｇ  反射部
５１    光源（第１光源）
【図１】
0005897932.tif 000002
【図２】
0005897932.tif 000003
【図３】
0005897932.tif 000004
【図４】
0005897932.tif 000005
【図５】
0005897932.tif 000006
【図６】
0005897932.tif 000007
【図７】
0005897932.tif 000008
【図８】
0005897932.tif 000009
【図９】
0005897932.tif 000010
【図１０】
0005897932.tif 000011
【図１１】
0005897932.tif 000012